(57)【要約】【課題】折り畳みパレットの段積み用支持部を脚体の構成部材で兼用させて、コストダウンを図る。【解決手段】脚体１２が、上段パレットの側パネル２に嵌合する嵌合部１２ａとその内側の接地部１２ｂとを形成する脚底板材３０と、横外向きに開放する平面コ字形で前記脚底板材３０と荷台１とを連結する柱状部材２８と、この柱状部材２８の横外向き開放部を閉じるように脚底板材３０と柱状部材２８との間の入り隅部に固着されて起立する垂直部材２９とから成り、柱状部材２８は、荷台１の左右両側辺に配置された前後方向の奥行き材１６ａの内側に入り込む突出部３４と、この突出部３４と垂直部材２９との間で奥行き材１６ａ，１６ｂを支持する奥行き材支持面２８ｄとを上端に備え、垂直部材２９が上方に延出されて折り畳みパレット段積み用支持部１３を構成する。【選択図】図７
2007119002.tif 000002
【特許請求の範囲】
【請求項１】
周囲にパネルが立設された荷台の左右両側辺の前後両端部に、パレット段積み時に下段パレットの左右両側パネルの上辺に嵌合する嵌合部を備えた脚体と、各パネルを荷台上に重ねるように折り畳んだパレットの段積み時に上段パレットの前記脚体の嵌合部が嵌合する折り畳みパレット段積み用支持部とが設けられた折り畳み自在な箱型パレットにおいて、前記脚体が、前記嵌合部とその内側の接地部とを形成する脚底板材と、横外向きに開放する平面コ字形で前記脚底板材と荷台とを連結する柱状部材と、この柱状部材の横外向き開放部を閉じるように前記脚底板材と前記柱状部材との間の入り隅部に固着されて起立する垂直部材とから成り、前記柱状部材は、荷台の左右両側辺に配置された前後方向の奥行き材の内側に入り込む突出部と、この突出部と前記垂直部材との間で前記奥行き材を支持する奥行き材支持面とを上端に備え、前記垂直部材が上方に延出されて前記折り畳みパレット段積み用支持部が構成されている、折り畳み自在な箱型パレット。
【請求項２】
前記柱状部材は、前記脚底板材の内側辺から折曲連設された垂直板部と、当該垂直板部の両側辺から折曲連設された平行両側板部とから形成され、前記脚底板材と柱状部材とが１枚の板材の曲げ加工で構成されている、請求項１に記載の折り畳み自在な箱型パレット。
【請求項３】
前記垂直部材は、前記荷台の奥行き材の長さ方向と平行な板面を有する垂直板材の前後両側辺に補強用リブが設けられたもので、少なくとも一方の補強用リブの上端がこの垂直部材の上端より突出して、段積み時の上段折り畳みパレットの前後方向の位置決め用突起を構成している、請求項１又は２に記載の折り畳み自在な箱型パレット。
【請求項４】
前記補強用リブが荷台側で且つ前記柱状部材より上の領域に形成され、この補強用リブが前記荷台の奥行き材の外側面に溶接されている、請求項３に記載の折り畳み自在な箱型パレット。
【請求項５】
前記垂直部材は、前記柱状部材の横外向き開放部を閉じる部分が当該柱状部材と略同一巾であり、前記柱状部材より上の部分が当該柱状部材より両側に張り出す巾広の正面倒立凸形に形成され、巾広部分の両側辺に補強用リブが形成されている、請求項１〜４の何れか１項に記載の折り畳み自在な箱型パレット。
【発明の詳細な説明】
【技術分野】
【０００１】
本発明は、荷台周囲のパネルを荷台の上に折り畳むことができる箱型パレットに関するものである。
【背景技術】
【０００２】
この種の折り畳み自在な箱型パレットとして、特許文献１に記載されるように、周囲にパネルが立設された荷台の左右両側辺の前後両端部に、パレット段積み時に下段パレットの左右両側パネルの上辺に嵌合する嵌合部を備えた脚体と、各パネルを荷台上に重ねるように折り畳んだパレットの段積み時に上段パレットの前記脚体の嵌合部が嵌合する折り畳みパレット段積み用支持部とが設けられた折り畳み自在な箱型パレットが知られている。この特許文献１で開示された従来の構成は、折り畳みパレット段積み用支持部を備えていないタイプのパレットの脚体と荷台の側辺とに、折り畳みパレット段積み用支持部を構成する垂直部材の上下二箇所を固着する方法で実施されていた。即ち、この種のパレットの脚体は、段積み時の左右両側パネルの上辺に嵌合する嵌合部を形成する脚底板材の内側辺を垂直に立ち上げ、この垂直立ち上がり板部で平行両側板部間の横内向き開放部が閉じられるように、平面コ字形の柱状部材が前記脚底板材の上に固着立設されたものであり、この脚体の脚底板材の先端部上側と荷台の側辺とに、折り畳みパレット段積み用支持部を構成する垂直部材の上下二箇所を固着していたのである。
【特許文献１】実開昭５８−８６３８号公報
【発明の開示】
【発明が解決しようとする課題】
【０００３】
上記のような従来の構成では、折り畳みパレット段積み用支持部を構成する垂直部材が脚体の構成部材を兼用しておらず、全体として部材使用量が多くなってコスト高になる問題点があった。
【課題を解決するための手段】
【０００４】
本発明は上記のような従来の問題点を解消し得る折り畳み自在な箱型パレットを提供することを目的とするものであって、その手段を後述する実施形態の参照符号を付して示すと、周囲にパネル２〜５が立設された荷台１の左右両側辺の前後両端部に、パレット段積み時に下段パレットの左右両側パネル２，３の上辺に嵌合する嵌合部１２ａを備えた脚体１２と、各パネル２〜５を荷台１上に重ねるように折り畳んだパレットの段積み時に上段パレットの前記脚体１２の嵌合部１２ａが嵌合する折り畳みパレット段積み用支持部１３とが設けられた折り畳み自在な箱型パレットにおいて、前記脚体１２が、前記嵌合部１２ａとその内側の接地部１２ｂとを形成する脚底板材３０と、横外向きに開放する平面コ字形で前記脚底板材３０と荷台１とを連結する柱状部材２８と、この柱状部材２８の横外向き開放部を閉じるように前記脚底板材３０と前記柱状部材２８との間の入り隅部に固着されて起立する垂直部材２９とから成り、前記柱状部材２８は、荷台１の左右両側辺に配置された前後方向の奥行き材１６ａ，１６ｂの内側に入り込む突出部３４と、この突出部３４と前記垂直部材２９との間で前記奥行き材１６ａ，１６ｂを支持する奥行き材支持面２８ｄとを上端に備え、前記垂直部材２９が上方に延出されて前記折り畳みパレット段積み用支持部１３を構成するように成っている。
【０００５】
上記構成の本発明を実施するについて、具体的には請求項２に記載のように、前記柱状部材２８は、前記脚底板材３０の内側辺から折曲連設された垂直板部２８ａと、当該垂直板部２８ａの両側辺から折曲連設された平行両側板部２８ｂ，２８ｃとから形成して、前記脚底板材３０と柱状部材２８とを１枚の板材の曲げ加工で構成することができる。
【０００６】
又、請求項３に記載のように、前記垂直部材２９は、前記荷台１の奥行き材１６ａ，１６ｂの長さ方向と平行な板面を有する垂直板材の前後両側辺に補強用リブ３１を設けたものとし、少なくとも一方の補強用リブ３１の上端をこの垂直部材２９の上端より突出させて、段積み時の上段折り畳みパレットの前後方向の位置決め用突起３３を構成させることができる。この場合、請求項４に記載のように、前記補強用リブ３１は荷台１側で且つ前記柱状部材２８より上の領域に形成し、この補強用リブ３１を前記荷台１の奥行き材１６ａ，１６ｂの外側面に溶接することができる。
【０００７】
更に、請求項５に記載のように、前記垂直部材２９は、前記柱状部材２８の横外向き開放部を閉じる部分を当該柱状部材２８と略同一巾とし、前記柱状部材２８より上の部分を当該柱状部材２８より両側に張り出す巾広として、全体を正面倒立凸形に形成し、巾広部分の両側辺に補強用リブ３１を形成することができる。
【発明の効果】
【０００８】
上記構成の本発明に係る折り畳み自在な箱型パレットによれば、脚体に強度上必要な角筒柱状部、即ち、嵌合部と接地部とを形成する脚底板材と荷台底部とをつなぐ角筒柱状部の外側壁部を、折り畳みパレット段積み用支持部を構成する垂直部材で兼用させる構成であるため、従来の脚体の前記角筒柱状部とは別に折り畳みパレット段積み用支持部を構成する垂直部材を設ける構成と比較して、使用部材量を減らし、コストダウンを図ることができる。しかも、前記角筒柱状部を構成する平面コ字形柱状部材の上端突出部と前記垂直部材との間で荷台の左右両側辺に配置された前後方向の奥行き材を挟んで、当該奥行き材を前記平面コ字形柱状部材の上端奥行き材支持面で支持する構成であるから、前以って脚体に前記垂直部材を取り付けて一体化しておくことにより、当該脚体を荷台の前記奥行き材に下側から嵌合させて当該脚体を位置決めすることができ、折り畳みパレット段積み用支持部を一体に備えた脚体の荷台への溶接による取り付けを簡単容易に行える。
【０００９】
尚、請求項２に記載の構成によれば、脚底板材と平面コ字形柱状部材とを１枚の板材の曲げ加工で構成し、これに折り畳みパレット段積み用支持部を構成する垂直部材を付設するだけで、折り畳みパレット段積み用支持部を一体に備えた脚体を構成することができるので、折り畳みパレット段積み用支持部を一体に備えた脚体の製造に要する溶接を必要最小限に減らしてコストダウンを図ることができる。
【００１０】
又、請求項３に記載の構成によれば、折り畳みパレット段積み用支持部を構成する垂直部材を１枚の板材から構成するものでありながら、当該折り畳みパレット段積み用支持部には十分な曲げ強度を持たせることができ、しかもその曲げ強度を高めるための補強用リブの上端を利用して、段積み時の上段折り畳みパレットの前後方向の位置決め用突起を構成するものであるから、当該位置決め用突起にも必要な強度をもたせることができ、全体として折り畳みパレットの段積みを安全に行えるパレットを安価に構成できる。この場合に請求項４に記載の構成によれば、１枚の板材から構成された折り畳みパレット段積み用支持部を構成する垂直部材をその両側辺の補強用リブを介して荷台の奥行き材の外側面に溶接するのであるから、当該垂直部材の取り付け強度も高めることができる。
【００１１】
更に、請求項５に記載の構成によれば、折り畳みパレット段積み時に上段パレットの脚体の嵌合部を支持する折り畳みパレット段積み用支持部の巾、即ち、垂直部材の上端の巾は十分に広くとる反面、脚体の横巾は狭めて、折り畳みパレットの段積みを容易にすることができ、しかも当該巾広の折り畳みパレット段積み用支持部は両側辺の補強用リブにより補強して曲げ強度を高め、安全性も高めることができる。
【発明を実施するための最良の形態】
【００１２】
以下に本発明の具体的実施例を添付図に基づいて説明すると、図１及び図２において、１は荷台、２，３は荷台１の左右両側辺から起立する左右両側パネル、４は荷台１の後側辺から起立する背パネル、５は荷台１の前側辺から起立する扉パネルである。左右両側パネル２，３は、その後側辺が背パネル４の左右両側辺に、この背パネル４の左右両側辺に沿った回転軸心を持つコイルヒンジ６，７により揺動自在に連結され、背パネル４は、その内向き折曲部４ａの先端辺で荷台１に、当該内向き折曲部４ａの先端辺に沿った回転軸心を持つコイルヒンジ８により揺動自在に連結され、扉パネル５は、その下辺が荷台１の前側辺に、この荷台１の前側辺に沿った回転軸心を持つコイルヒンジ９により揺動自在に連結されている。又、この図示例では、扉パネル５は水平回転軸心を持つコイルヒンジ１０により互いに揺動自在に連結された下半部５ａと上半部５ｂとから構成され、各扉パネル下半部５ａと上半部５ｂとは、左右両側パネル２，３の前側辺間を閉じる閉じ位置でロック手段１１により左右両側パネル２，３の前側辺に係止される。
【００１３】
上記構成の箱型パレットは、ロック手段１１を解除して扉パネル５を荷台１の上に重ねるように折り畳み、左右両側パネル２，３を背パネル４の内側にそれぞれ重ねるように折り畳み、最後に背パネル４をその内側に重ねられた左右両側パネル２，３と共に荷台１の上に重ねるように折り畳むことにより、嵩低くすることができるものである。
【００１４】
更に荷台１の左右両側辺の前後両端下側には、脚体１２が付設されている。これら４つの脚体１２は、荷台１の下側にフォークリフトのフォークを差し入れる空間を形成すると共に、図４Ａ及び図５Ａに示すように、この箱型パレットを段積みするとき、下段のパレットの左右両側パネル２，３の上辺の前後両端部に嵌合して、上下の箱型パレットが前後左右に位置ずれするのを防止するための下側開放の嵌合部１２ａと、床置き時に前記嵌合部１２ａの内側で着床する接地部１２ｂとを備えている。更に、この箱型パレットの荷台１の左右両側辺の前後両端部には、折り畳みパレット段積み用支持部１３が設けられている。これら４つの折り畳みパレット段積み用支持部１３は、具体的には各脚体１２から上向きに連設して、左右両側パネル２，３の外側に配置したものであって、上記のように各パネル２〜５を荷台１上に重ねるように折り畳んだパレットを図４Ｂ及び図５Ｂに示すように段積みするとき、上段パレットの各脚体１２を嵌合部１２ａにおいて支持するものである。
【００１５】
荷台１の構成を具体的に説明すると、図３及び図４に示すように、荷台１は骨枠１４と敷設材１５とから構成されている。骨枠１４は、荷台１の左右両側辺に配置された奥行き材１６ａ，１６ｂと、両奥行き材１６ａ，１６ｂ間に架設された左右方向の間口材１７ａ〜１７ｅとから構成されている。敷設材１５は、格子状に配列された下側の前後方向線材１８と上側の左右方向線材１９とが両者の交叉部において互いに電気抵抗溶接されることにより構成されたメッシュ構造のものであり、骨枠１４の左右両側の奥行き材１６ａ，１６ｂ間において間口材１７ａ〜１７ｅ上に敷設固着されている。而して、扉パネル５の下側辺は、敷設材１５の前側辺に位置する左右方向線材１９ａにコイルヒンジ９により連結され、背パネル４の内向き折曲部４ａの先端辺は、敷設材１５の後側辺から２番目の左右方向線材１９ｂにコイルヒンジ８により連結される。
【００１６】
奥行き材１６ａ，１６ｂには、図８及び図１０に示すように、各間口材１７ａ〜１７ｅに対応する箇所において、それぞれ２本一組のスリット２５ａ，２５ｂが設けられている。一方、各間口材１７ａ〜１７ｅは上側開放の溝形材から成るもので、その長さ方向の両端には、奥行き材１６ａ，１６ｂの２本一組のスリット２５ａ，２５ｂに差し込み可能な舌片２７ａ，２７ｂが平行両側板部の端縁から突設されている。
【００１７】
各脚体１２は、図６〜図９に示すように、前記嵌合部１２ａと接地部１２ｂとを形成する脚底板材３０と、この脚底板材３０の上側に連設されて横外向きに開放する平面コ字形の柱状部材２８と、この柱状部材２８の横外向き開放部を閉じるように当該柱状部材２８と脚底板材３０の外端部上との間の入り隅部に溶接により付設された垂直部材２９とから構成され、この垂直部材２９が荷台１の奥行き材１６ａ，１６ｂより上方に延出して前記折り畳みパレット段積み用支持部１３を構成している。前記柱状部材２８は、前記脚底板材３０の内側辺から折曲連設された垂直板部２８ａと、当該垂直板部２８ａの両側辺から折曲連設された平行両側板部２８ｂ，２８ｃとから形成され、前記脚底板材３０と柱状部材２８とが１枚の板材の曲げ加工で構成されている。
【００１８】
前記垂直部材２９は、荷台１の奥行き材１６ａ，１６ｂの長さ方向と平行な板面を有する垂直板材から構成され、奥行き材１６ａ，１６ｂの上面より下側の部分に対して上側の部分が左右両側パネル２，３との干渉を避けるために外側に若干張り出すように、中間高さに屈曲部が設けられたもので、垂直荷重に対する座屈強度を高めるために、柱状部材２８より上側の部分の両側辺には内側に突出する円筒状の補強用リブ３１が形成されると共に、全高にわたって幅方向の略中央位置に外側に山形状に突出する補強用リブ３２が形成されたものである。又、垂直部材２９の両側辺の円筒状補強用リブ３１の一方は、当該垂直部材２９の上端から上方に突出して、図５Ｂに示すように、この垂直部材２９が構成する折り畳みパレット段積み用支持部１３を利用して折り畳み状態のパレットを段積みしたとき、上段パレットの脚体１２の嵌合部１２ａが垂直部材２９の上端（折り畳みパレット段積み用支持部１３の上端）から前後方向に外れるのを防止する段積み折り畳みパレット位置決め用突起３３を構成している。
【００１９】
上記構成の脚体１２における柱状部材２８の巾は、荷台骨枠１４の前側前後２本の間口材１７ａ，１７ｂ間及び後側前後２本の間口材１７ｄ，１７ｅ間の間隔と略同一であって、その上端の内側略半分の領域には、前側前後２本の間口材１７ａ，１７ｂ間又は後側前後２本の間口材１７ｄ，１７ｅ間に嵌まり込む突出部３４が形成され、垂直部材２９の中間屈曲部より下側で円筒状補強用リブ３１を備えている部分と前記突出部３４との間の柱状部材２８の上端（平行両側板部２８ｂ，２８ｃの上端）が奥行き材支持面２８ｄとなっている。尚、垂直部材２９は、柱状部材２８の横外向き開放部を閉じる部分を当該柱状部材２８の巾と略同一とし、これより上側の部分、即ち、両側辺に円筒状補強用リブ３１を備えている部分は、前記柱状部材２８の巾より両側に張り出すように巾広とすることにより、正面形状が倒立凸形に構成されている。
【００２０】
荷台１の組み立てについて説明すると、先ず左右一対の奥行き材１６ａ，１６ｂ間に各間口材１７ａ〜１７ｅを、例えば各間口材１７ａ〜１７ｅの両端の舌片２７ａ，２７ｂを奥行き材１６ａ，１６ｂに設けたスリット２５ａ，２５ｂに差し込んで配置する。係る状態で４つの脚体１２を、それぞれの柱状部材２８の突出部３４を前側前後２本の間口材１７ａ，１７ｂ間と後側前後２本の間口材１７ｄ，１７ｅ間とに下側から嵌め込むと共に、それぞれの柱状部材２８の突出部３４と垂直部材２９との間に奥行き材１６ａ，１６ｂを嵌合させて当該奥行き材１６ａ，１６ｂを柱状部材２８の上端の奥行き材支持面２８ｄで支持させ、この各脚体１２の突出部３４を含む柱状部材２８と奥行き材１６ａ，１６ｂ及び間口材１７ａ，１７ｂ，１７ｄ，１７ｅとの接触境界部を溶接する。又、奥行き材１６ａ，１６ｂの外側面と各脚体１２の垂直部材２９（補強用円筒状リブ３１）との接触境界部を溶接する。尚、この脚体１２の溶接時に、当該脚体１２の柱状部材２８に隣接する位置で奥行き材１６ａ，１６ｂと間口材１７ａ，１７ｂ，１７ｄ，１７ｅとを追加溶接することも可能である。
【００２１】
以上にようにして４つの脚体１２（垂直部材２９を含む）を奥行き材１６ａ，１６ｂ及び間口材１７ａ，１７ｂ，１７ｄ，１７ｅに溶接することにより、この脚体１２を介して奥行き材１６ａ，１６ｂと間口材１７ａ，１７ｂ，１７ｄ，１７ｅとが互いに直角向きに固着連結され、４つの脚体１２を備えた荷台骨枠１４が完成する。このとき中間の間口材１７ｃは、奥行き材１６ａ，１６ｂには固着されていない。次に、下側前後方向線材１８と上側左右方向線材１９とで予め組み立てられた敷設材１５を奥行き材１６ａ，１６ｂ間で各間口材１７ａ〜１７ｅの上に載置し、各下側前後方向線材１８と各間口材１７ａ〜１７ｅの平行両側板部との交叉部を電気抵抗溶接で互いに固着することにより、４つの脚体１２を備えた荷台１を完成させる。尚、奥行き材１６ａ，１６ｂには固着されていない中間の間口材１７ｃは、敷設材１５の各下側前後方向線材１８との溶接により、敷設材１５を介して骨枠１４に固着されたことになる。
【００２２】
荷台１に対する各パネル２〜５は従来周知の如く組み付けられる。このようにして組み立てられた折り畳み自在な箱型パレットは、図４Ａ及び図５Ａに示すように、下段パレットの左右両側パネル２，３と上段パレットの４つの脚体１２（嵌合部１２ａ）とを利用して段積みしたり、各パネル２〜５を荷台１の上に重ねるように折り畳んだパレットを、図４Ｂ及び図５Ｂに示すように下段パレットの荷台１から上向きに突出する４つの折り畳みパレット段積み用支持部１３（各脚体１２に連設の垂直部材２９）と上段パレットの４つの脚体１２（嵌合部１２ａ）とを利用して段積みすることができる。
【図面の簡単な説明】
【００２３】
【図１】パレット全体を示す斜視図である。
【図２】パレットの荷台周囲の各パネルの折り畳み構造を説明する概略斜視図である。
【図３】脚体を備えた荷台の構成を説明する平面図であって、右半分は敷設材を省いた状態を示す平面図である。
【図４】Ａ図は組み立てられたパレットの段積み状態を示す要部の正面図、Ｂ図は折り畳まれたパレットの段積み状態を示す要部の正面図である。
【図５】Ａ図は組み立てられたパレットの段積み状態を示す要部の側面図、Ｂ図は折り畳まれたパレットの段積み状態を示す要部の側面図である。
【図６】Ａ図は荷台の脚体部分を外側から示す側面図、Ｂ図は荷台の脚体部分を内側から示す縦断側面図である。
【図７】図６Ａの正面図である。
【図８】図６Ａの一部切欠き平面図である。
【図９】折り畳みパレット段積み用支持部が連設された脚体の斜視図である。
【図１０】荷台骨枠の構成部材を分解状態で示す要部の斜視図である。
【符号の説明】
【００２４】
１    荷台
２，３    左右両側パネル
４    背パネル
５    扉パネル
１２    脚体
１２ａ    嵌合部
１２ｂ    接地部
１３    折り畳みパレット段積み用支持部
１４    荷台の骨枠
１５    荷台の敷設材
１６ａ，１６ｂ    骨枠の奥行き材
１７ａ〜１７ｅ    骨枠の間口材
１８，１９    敷設材の線材
２５ａ，２５ｂ    ２本一組のスリット
２７ａ，２７ｂ    間口材の舌片
２８    平面コ字形柱状部材
２８ｄ    奥行き材支持面
２９    垂直部材
３０    脚底板材
３１    円筒状補強用リブ
３２    山形状補強用リブ
３３    段積み折り畳みパレット位置決め用突起
３４    柱状部材の突出部
【図１】
2007119002.tif 000003
【図２】
2007119002.tif 000004
【図３】
2007119002.tif 000005
【図４】
2007119002.tif 000006
【図５】
2007119002.tif 000007
【図６】
2007119002.tif 000008
【図７】
2007119002.tif 000009
【図８】
2007119002.tif 000010
【図９】
2007119002.tif 000011
【図１０】
2007119002.tif 000012